【手続補正書】
【提出日】平成23年8月1日(2011.8.1)
【手続補正１】
【補正対象書類名】明細書
【補正対象項目名】００１１
【補正方法】変更
【補正の内容】
【００１１】
第２の態様に係るマイクロミキサーは、第１および第２液体が流される微細流路と、前記微細流路と連通される液体注入口が底部に設けられる混合槽と、を備える。そして、該マイクロミキサーでは、前記液体注入口が、前記混合槽の中心線からずれた位置に設けられ、前記中心線が、前記混合槽の内壁によって囲まれる内部空間領域のうちの前記液体注入口の近傍を除く空間領域の水平面に沿った各断面の重心位置を貫き且つ該水平面に垂直である直線、または前記内部空間領域の前記水平面に沿った複数の断面の重心位置から近似計算によって求められる前記水平面に垂直であり且つ前記複数の断面の重心位置を近似的に貫く直線である。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
第５の態様に係るマイクロミキサーは、第１から第４の何れか１つの態様に係るマイクロミキサーであって、前記混合槽の内壁の表面が、撥水性を有する。
【手続補正５】
【補正対象書類名】明細書
【補正対象項目名】００１７
【補正方法】変更
【補正の内容】
【００１７】
第６の態様に係るマイクロミキサーは、第１から第５の何れか１つの態様に係るマイクロミキサーであって、前記液体注入口が、前記混合槽に貯留される液体を前記微細流路に向けて排出する。
【手続補正６】
【補正対象書類名】明細書
【補正対象項目名】００１８
【補正方法】変更
【補正の内容】
【００１８】
第７の態様に係るマイクロミキサーは、第１から第６の何れか１つの態様に係るマイクロミキサーであって、前記第１液体を前記微細流路に対して供給する第１供給路と、前記第２液体を前記微細流路に対して供給する第２供給路と、を更に備える。
【手続補正７】
【補正対象書類名】明細書
【補正対象項目名】００１９
【補正方法】変更
【補正の内容】
【００１９】
第８の態様に係るマイクロ流体チップは、第１から第７の何れか１つの態様に係るマイクロミキサーと、前記混合槽において前記第１および第２液体が混合されることで生成される混合液体が前記混合槽から排出される流路の内壁面近傍に設けられ、前記混合液体に含まれる物質との反応を行う反応物質が固定される反応部と、を備える。
【手続補正８】
【補正対象書類名】明細書
【補正対象項目名】００２０
【補正方法】変更
【補正の内容】
【００２０】
第１から第７の何れの態様に係るマイクロミキサーによっても、同時期に液体注入口から２種類以上の液体が混合槽に注入される際に、混合槽において２種類以上の液体が混合され易い流れが生じるため、簡易な構成で２種類以上の液体の混合を効率良く行うことができる。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
第５の態様に係るマイクロミキサーによれば、混合槽の底部において、重力に起因して液体が横向きに進行しようとする力と、表面張力に起因して液体の横向きの進行が抑止される力とが、平衡状態にある場合と平衡状態にない場合とが順次に生じ易くなることで、２種類以上の液体が混合され易い乱れた流れが生じ易くなる。
【手続補正１２】
【補正対象書類名】明細書
【補正対象項目名】００２５
【補正方法】変更
【補正の内容】
【００２５】
第６の態様に係るマイクロミキサーによれば、混合槽に貯留される液体が、混合槽の底部に設けられる液体注入口から排出されるため、簡易な構成で混合槽における液体の残留を抑制することができる。したがって、液体の無駄使いが抑制される。
【手続補正１３】
【補正対象書類名】明細書
【補正対象項目名】００２６
【補正方法】変更
【補正の内容】
【００２６】
第８の態様に係るマイクロ流体チップによれば、マイクロミキサーにおいて効率良く２種類以上の液体が混合されるため、混合液体と反応部とを迅速に反応させることができる。
【手続補正１４】
【補正対象書類名】特許請求の範囲
【補正対象項目名】全文
【補正方法】変更
【補正の内容】
【特許請求の範囲】
【請求項１】
第１および第２液体が流される微細流路と、
前記微細流路に連通される液体注入口が底部に設けられる混合槽と、
を備え、
前記液体注入口が、
前記底部のうちの該底部の中央からずれた位置に設けられることを特徴とするマイクロミキサー。
【請求項２】
第１および第２液体が流される微細流路と、
前記微細流路と連通される液体注入口が底部に設けられる混合槽と、
を備え、
前記液体注入口が、
前記混合槽の中心線からずれた位置に設けられ、
前記中心線が、
前記混合槽の内壁によって囲まれる内部空間領域のうちの前記液体注入口の近傍を除く空間領域の水平面に沿った各断面の重心位置を貫き且つ該水平面に垂直である直線、または前記内部空間領域の前記水平面に沿った複数の断面の重心位置から近似計算によって求められる前記水平面に垂直であり且つ前記複数の断面の重心位置を近似的に貫く直線であることを特徴とするマイクロミキサー。
【請求項３】
第１および第２液体が流される微細流路と、
前記微細流路と連通される液体注入口が底部に設けられる混合槽と、
を備え、
前記混合槽の内壁によって囲まれる内部空間領域の水平方向に沿った断面において、前記液体注入口の中央から上方に仮想的に延伸される仮想線が通る位置から一方向に係る前記内壁までの第１の距離と、前記仮想線が通る位置から前記一方向とは反対方向に係る前記内壁までの第２の距離とが、異なることを特徴とするマイクロミキサー。
【請求項４】
請求項１から請求項３の何れか１つの請求項に記載のマイクロミキサーであって、
前記混合槽の底部に少なくとも１つの凸部が設けられることを特徴とするマイクロミキサー。
【請求項５】
請求項１から請求項４の何れか１つの請求項に記載のマイクロミキサーであって、
前記混合槽の内壁の表面が、
撥水性を有することを特徴とするマイクロミキサー。
【請求項６】
請求項１から請求項５の何れか１つの請求項に記載のマイクロミキサーであって、
前記液体注入口が、
前記混合槽に貯留される液体を前記微細流路に向けて排出することを特徴とするマイクロミキサー。
【請求項７】
請求項１から請求項６の何れか１つの請求項に記載のマイクロミキサーであって、
前記第１液体を前記微細流路に対して供給する第１供給路と、
前記第２液体を前記微細流路に対して供給する第２供給路と、
を更に備えることを特徴とするマイクロミキサー。
【請求項８】
請求項１から請求項７の何れか１つの請求項に記載のマイクロミキサーと、
前記混合槽において前記第１および第２液体が混合されることで生成される混合液体が前記混合槽から排出される流路の内壁面近傍に設けられ、前記混合液体に含まれる物質との反応を行う反応物質が固定される反応部と、
を備えることを特徴とするマイクロ流体チップ。